(57)【特許請求の範囲】
【請求項１】
対向離隔された前面基板と背面基板を持ち、前記基板の間にＸ及びＹ電極ラインが互いに並んで形成され、アドレス電極ラインが前記Ｘ及びＹ電極ラインに対し直交するように形成され、各交差点に相応する表示セルが設定され、前記アドレス電極ラインがその中心にて断絶され第１パネル及び第２パネルとしてアドレス表示重畳駆動方式で分割駆動されるプラズマ表示パネルについて、駆動周期が最小表示放電周期、最小リセット周期及び最小アドレス周期を含み、１つの前記最小アドレス周期において２以上のＹ電極ラインに走査パルスが印加されると同時に相応する表示データ信号が前記各アドレス電極ラインに印加されることにより表示される画素に壁電荷が形成され、１つの前記最小表示放電周期において前記Ｘ及びＹ電極ラインに表示放電用パルスが交互に印加されることにより前記壁電荷が形成された画素にて表示放電が起こり、前記最小リセット周期において以前のサブフィールドから残っている壁電荷を除去しつつ空間電荷を形成させるためのリセットパルスが相応するＹ電極ラインに印加される駆動方法において、
前記第１パネルに前記最小表示放電周期及び最小リセット周期が適用される間に、前記第２パネルに前記最小アドレス周期が適用されることを特徴とするプラズマ表示パネルの駆動方法。
【発明の詳細な説明】
【０００１】
【発明の属する技術分野】
本発明は、プラズマ表示パネルの駆動方法に係り、より詳細には分割駆動型プラズマ表示パネルの駆動方法に関する。
【０００２】
【従来の技術】
図２は一般的な３電極面放電方式のプラズマ表示パネルの構造を示す。図３は図２のプラズマ表示パネルの電極ラインパターンを示す。図４は図２のパネルの一表示セルの例を示す。図面を参照すれば、一般的な面放電プラズマ表示パネル１の前面及び背面ガラス基板１０、１３の間には、アドレス電極ラインＡ１、Ａ２、．．．、Ａｍ−１、Ａｍ、誘電体層１１、１５、Ｙ電極ラインＹ１、．．．、Ｙｎ、Ｘ電極ラインＸ１、．．．、Ｘｎ、蛍光体１６、隔壁１７及び保護層としての一酸化マグネシウム（ＭｇＯ）層１２が設けられている。
【０００３】
アドレス電極ラインＡ１、Ａ２、．．．、Ａｍ−１、Ａｍは背面ガラス基板１３の表面に一定のパターンに形成される。下部誘電体層１５はアドレス電極ラインＡ１、Ａ２、．．．、Ａｍ−１、Ａｍの前面に全面塗布される。下部誘電体層１５の前面には隔壁１７がアドレス電極ラインＡ１、Ａ２、．．．、Ａｍ−１、Ａｍと並んだ方向に形成される。この隔壁１７は各表示セルの放電領域を区画し、各表示セル間の光学的干渉を防止する機能を果たす。蛍光体１６は隔壁１７の間に塗布される。
【０００４】
Ｘ電極ラインＸ１、．．．、ＸｎとＹ電極ラインＹ１、．．．、Ｙｎは、アドレス電極ラインＡ１、．．．、Ａｍと直交するよう前面ガラス基板１０の裏面に一定のパターンに形成される。各交差点は相応する表示セルを設定する。各Ｘ電極ラインＸ１、．．．、Ｘｎと各Ｙ電極ラインＹ１、．．．、Ｙｎは、透明な導電性材質のＩＴＯ電極ライン（図４のＸｎａ、Ｙｎａ）と金属材質のバス電極ライン（図４のＸｎｂ、Ｙｎｂ）が結合し形成される。上部誘電体層１１はＸ電極ラインＸ１、．．．、ＸｎとＹ電極ラインＹ１、．．．、Ｙｎの裏面に全面塗布され形成される。強い電界からパネル１を保護するためのＭｇＯ層１２は上部誘電体層１１の裏面に全面塗布され形成される。放電空間１４にはプラズマ形成用ガスが密封される。
【０００５】
このようなプラズマ表示パネルに基本的に適用される駆動方式は、リセット、アドレス及び表示放電段階が単位サブフィールドにて順次に行われるようにする方式である。リセット段階では以前のサブフィールドでの残余壁電荷が消去され空間電荷が等しく生成されるよう駆動する。アドレス段階では選択された表示セルにて壁電荷が形成されるように駆動する。そして表示放電段階ではアドレス段階にて壁電荷が形成された表示セルで光が発生するように駆動する。すなわち、全てのＸ電極ラインＸ１、．．．、Ｘｎと全てのＹ電極ラインＹ１、．．．、Ｙｎに相対的に高い電圧のパルスを交互に印加すれば、壁電荷が形成された表示セルにて面放電を起こす。この時、ガス層にてプラズマが形成され、その紫外線放射により蛍光体１６が励起され光が発生する。
【０００６】
図５は一般的なプラズマ表示パネルの駆動方法による単位表示周期、例えば、順次駆動方式での単位フレームまたは飛越し駆動方式での単位フィールドの構成を示す。図５に示した駆動方法を通常、アドレス表示重畳駆動方法と呼ぶ。この駆動方法によれば、全てのＸ電極ライン（図２のＸ１、．．．、Ｘｎ）と全てのＹ電極ラインＹ１、．．．、Ｙ４８０に表示放電用パルスが持続的に印加され、リセットまたはアドレス用パルスが各表示放電用パルス間で印加される。すなわち、単位サブフィールド内でリセット及びアドレス段階は個別的Ｙラインまたはグループに対し順次に行われ、その残りの時間中には表示放電段階が行われる。これにより、アドレス表示分離駆動方法に比べ表示輝度が高まる利点がある。ここで、アドレス表示分離駆動方法というのは、単位サブフィールド内でリセット及びアドレス段階がある１周期を占めつつ全てのＹ電極ラインＹ１、．．．、Ｙ４８０に対し行われた後で表示放電段階が行われる方法をいう。
【０００７】
図５を参照すれば、単位フレームは時分する階調表示のために８つのサブフィールドＳＦ１、．．．、ＳＦ８に区分される。各サブフィールドではリセット、アドレス及び表示放電段階が行われ、各サブフィールドに割り当てられる時間は階調に相応する表示放電時間により決定される。例えば、８ビット映像データでフレーム単位で２５６階調を表示する場合に単位フレーム（一般的に１／６０秒）が２５６単位時間でなされるならば、最下位ビットの映像データにより駆動される第１サブフィールドＳＦ１は１（２０）単位時間、第２サブフィールドＳＦ２は２（２１）単位時間、第３サブフィールドＳＦ３は４（２２）単位時間、第４サブフィールドＳＦ４は８（２３）単位時間、第５サブフィールドＳＦ５は１６（２４）単位時間、第６サブフィールドＳＦ６は３２（２５）単位時間、第７サブフィールドＳＦ７は６４（２６）単位時間、そして最上位ビットの映像データにより駆動される第８サブフィールドＳＦ８は１２８（２７）単位時間を各々持つ。すなわち、各サブフィールドに割り当てられた単位時間の和は２５５単位時間であるので２５５階調表示が可能で、ここにいずれのサブフィールドでも表示放電されない階調を含めば２５６階調表示が可能である。
【０００８】
単位サブフィールドの時間は単位フレームの時間と同じであるが、各単位サブフィールドは駆動されるＹ電極ラインＹ１、．．．、Ｙｎを基準に互いに重畳され単位フレームを構成する。従って、全ての時点にて全てのサブフィールドＳＦ１、．．．、ＳＦ８が存在するので、各アドレス段階が行われるために各表示放電用パルス間にサブフィールドの数によるアドレス用時間スロットが設定される。
【０００９】
図６は一般的な分割駆動型プラズマ表示パネルの電極ラインパターンを示す。図６を参照すれば、一般的な分割駆動型プラズマ表示パネルは、そのアドレス電極ラインＡ１、．．．、Ａｍがその中心にて断絶され上部パネル及び下部パネルを形成する。上部パネルには第１のＹ電極ラインＹ１から第（ｎ／２）のＹ電極ラインＹ（ｎ／２）、及び第１のＸ電極ラインＸ１から第（ｎ／２）のＸ電極ラインＸ（ｎ／２）が割り当てられる。下部パネルには第（ｎ／２）＋１のＹ電極ラインＹ（ｎ／２）＋１から第ｎのＹ電極ラインＹｎ、及び第（ｎ／２）＋１のＸ電極ラインＸ（ｎ／２）＋１から第ｎＸ電極ラインＸｎが割り当てられる。このようにプラズマ表示パネルが分割され同時に駆動されるので、アドレッシング時間が半分に減る利点がある。
【００１０】
図６に示した通り、分割駆動型プラズマ表示パネルを図５のようにアドレス表示重畳駆動方法で駆動時に、表示放電周期、リセット周期及びアドレス周期で構成された最小駆動周期が持続的に反復されあらわれる駆動方法が常用化されている。この駆動方法によれば、最小表示放電周期に全てのＹ及びＸ電極ラインに表示放電用パルスが交互に一度ずつ印加され、このような最小表示放電周期の間で最小のリセット周期及びアドレス周期が適用される。すなわち、維持放電の休止期にて最小のリセット周期及びアドレス周期が適用される。ここで、最小のアドレス周期には、各サブフィールドＳＦ１、．．．、ＳＦ８の順序により少なくともある一つのＹ電極ラインに走査パルスが印加されると同時に相応する表示データ信号が各アドレス電極ラインに印加される。
【００１１】
このような駆動方法が分割駆動型プラズマ表示パネルに適用されるにあたり、従来は、最小駆動周期の位相が上部パネルと下部パネルに対し同一となるようになっている。これにより、上部パネルと下部パネルがいつも互いに同じモードの駆動周期を持つので、全体的な最大瞬時電力がより一層大きくなる。例えば、最小表示放電周期にて上部パネルと下部パネルの全ての表示セルが発光する場合、その全体的な瞬時電力が非常に大きくなる。このように最大瞬時電力がより一層大きくなることにより電源回路の容量負担、ノイズ及び電磁障害波の影響がより一層大きくなる。
【００１２】
【発明が解決しようとする課題】
本発明の目的は、プラズマ表示パネルの駆動方法において、電源回路の容量負担、ノイズ及び電磁障害波の影響を減らすことができる駆動方法を提供するところにある。
【００１３】
【課題を解決するための手段】
前記目的を達成するための本発明の駆動方法は、互いに対向離隔された前面基板と背面基板を持ち、前記基板の間にＸ及びＹ電極ラインが互いに並んで形成され、アドレス電極ラインが前記Ｘ及びＹ電極ラインに対し直交するように形成され、各交差点に相応する表示セルが設定され、前記アドレス電極ラインがその中心にて断絶され第１パネル及び第２パネルとして分割駆動されるプラズマ表示パネルについて、最小駆動周期が表示放電周期、リセット周期及びアドレス周期を含み、前記アドレス周期にて少なくともある一つのＹ電極ラインに走査パルスが印加されると同時に相応する表示データ信号が前記各アドレス電極ラインに印加されることにより表示される画素に壁電荷が形成され、前記表示放電周期にて前記Ｘ及びＹ電極ラインに表示放電用パルスが交互に印加されることにより前記壁電荷が形成された画素で表示放電が起こり、前記リセット周期にて以前のサブフィールドから残っている壁電荷を除去しつつ空間電荷を形成させるためのリセットパルスが相応するＹ電極ラインに印加される駆動方法である。ここで、前記第１パネルに前記表示放電周期及びリセット周期が適用される間に、前記第２パネルに前記アドレス周期が適用される。
【００１４】
これにより、前記上部パネルと下部パネルがいつも互いに他のモードの駆動周期を持つので、全体的な最大瞬時電力が相対的に低くなるようになる。例えば、上部及び下部パネルの全ての表示セルが発光する場合、最小表示放電周期が時間上で食い違うのでその全体的な瞬時電力が相対的に低くなる。これにより、電源回路の容量負担、ノイズ及び電磁障害波の影響を減らすことができる。
【００１５】
【発明の実施の形態】
図１は本発明による駆動方法による単位表示周期内の駆動信号を示す。
【００１６】
図１において、参照符号ＳＹ１、．．．、ＳＹ４は第１ないし第４サブフィールド（図５のＳＦ１、．．．、ＳＦ４）の相応する上部Ｙ電極ラインに印加される上部Ｙ電極駆動信号を、そしてＳＹ（ｎ／２）＋１、．．．、ＳＹ（ｎ／２）＋４は各サブフィールドの相応する下部Ｙ電極ラインに印加される下部Ｙ電極駆動信号を指す。
【００１７】
より詳細には、ＳＹ１は第１サブフィールドＳＦ１のある一つの上部Ｙ電極ラインに印加される駆動信号を、ＳＹ２は第２サブフィールドＳＦ２のある一つの上部Ｙ電極ラインに印加される駆動信号を、ＳＹ３は第３サブフィールドＳＦ３のある一つの上部Ｙ電極ラインに印加される駆動信号を、ＳＹ４は第４サブフィールドＳＦ４のある一つの上部Ｙ電極ラインに印加される駆動信号を、ＳＹ（ｎ／２）＋１は第１サブフィールドＳＦ１のある一つの下部Ｙ電極ラインに印加される駆動信号を、ＳＹ（ｎ／２）＋２は第２サブフィールドＳＦ２のある一つの下部Ｙ電極ラインに印加される駆動信号を、ＳＹ（ｎ／２）＋３は第３サブフィールドＳＦ３のある一つの下部Ｙ電極ラインに印加される駆動信号を、さらに、ＳＹ（ｎ／２）＋４は第４サブフィールドＳＦ４のある一つの下部Ｙ電極ラインに印加される駆動信号をそれぞれ指す。
【００１８】
参照符号ＳＸ１．．４は走査される上部Ｙ電極ラインに相応する上部Ｘ電極ライングループに印加される駆動信号を、ＳＸ（ｎ／２）＋１..４は走査される下部電極ラインに相応する下部Ｘ電極ライングループに印加される駆動信号を、ＳＵＡ１．．ｍは走査される上部Ｙ電極ラインに相応する上部表示データ信号を、ＳＬＡ１．．ｍは走査される上部Ｙ電極ラインに相応する下部表示データ信号を、そしてＧＮＤは接地電圧を指す。
【００１９】
図１では紙面の関係で４つのサブフィールドだけに限り図示したが、８つのサブフィールドが適用される場合にも同じ駆動方法が適用される。例えば、第５ないし第８サブフィールド（図５のＳＦ５、．．．、ＳＦ８）に相応する上部Ｙ電極ラインに対するアドレス周期はＴ４２で、下部Ｙ電極ラインに対するアドレス周期はＴ５１である。
【００２０】
図１を参照すれば、上部パネルに最小表示放電周期及び最小リセット周期が適用される間Ｔ１１、Ｔ２１、Ｔ３１、Ｔ４１、Ｔ５１、Ｔ６１には下部パネルに最小アドレス周期が適用される。従って、上部パネルに最小アドレス周期が適用される間Ｔ１２、Ｔ２２、Ｔ３２、Ｔ４２、Ｔ５２には下部パネルに最小表示放電周期及び最小リセット周期が適用される。このように上部パネルと下部パネルがいつも相異なるモードの駆動周期を持つので、全体的な最大瞬時電力が相対的に低くなる。例えば、上部及び下部パネルの全ての表示セルが発光する場合、最小表示放電周期が時間上で食い違うのでその全体的な瞬時電力が相対的に低くなる。これにより、電源回路の容量負担、ノイズ及び電磁障害波の影響を減らすことができる。
【００２１】
それぞれの最小表示放電周期は、Ｘ及びＹ電極ライン（図２のＸ１、．．．、Ｘｎ及びＹ１、．．．、Ｙｎ）に表示放電用パルス２、５を交互に印加することにより壁電荷が形成された画素で表示放電がおきるようにするための周期である。それぞれの最小リセット周期は、以前のサブフィールドから残っている壁電荷を除去しつつ空間電荷を形成させるために連続するアドレス周期にて走査されるＹ電極ラインにリセットパルス３を印加するための周期である。それぞれの最小アドレス周期は、４つのサブフィールドに相応するＹ電極ラインに走査パルス６を順次に印加すると同時に、相応する表示データ信号を各アドレス電極ラインに印加することにより表示される画素に壁電荷を形成するための周期である。
【００２２】
リセットパルス３が印加された後で走査パルス６が印加される時までには所定の休止期間をおいて相応する画素領域にて空間電荷が円滑に分布するようにする。図１にて、時間Ｔ１２、Ｔ２１、Ｔ２２及びＴ３１は、第１ないし第４サブフィールドＳＦ１、．．．、ＳＦ４の上部Ｙ電極ラインに対する休止期間であり、Ｔ２１、Ｔ２２、Ｔ３１及びＴ３２は、第１ないし第４サブフィールドＳＦ１、．．．、ＳＦ４の下部Ｙ電極ラインに対する休止期間である。各休止期間に印加される表示放電用パルス５は、実際の表示放電を起こせず相応する画素領域にて空間電荷が円滑に分布するようにする。しかし、休止期間の他に印加される表示放電用パルス２は、走査パルス６及び表示データ信号ＳＵＡ１．．ｍあるいはＳＬＡ１．．ｍにより壁電荷が形成された画素にて表示放電が起きるようにする。
【００２３】
休止期間に印加される表示放電用パルス５の中から最終パルスとこれに連続する最初の表示放電用パルス２との間の最小アドレス周期Ｔ３２またはＴ４１には４回のアドレッシングが行われる。例えば、Ｔ３２の時間には第１ないし第４サブフィールドＳＦ１、．．．、ＳＦ４の相応する上部Ｙ電極ラインに対しアドレッシングが行われる。さらに、Ｔ４１の時間には第１ないし第４サブフィールドＳＦ１、．．．、ＳＦ４の相応する下部Ｙ電極ラインに対しアドレッシングが行われる。図５の説明時に言及した通り、全ての時点で全てのサブフィールドＳＦ１、．．．、ＳＦ８が存在するので、各アドレス段階を行うために最小アドレス周期にはサブフィールドの数によるアドレス用時間スロットが設定される。
【００２４】
Ｙ電極ラインＹ１、．．．、Ｙｎに同時に印加される表示放電用パルス２、５の終了以後にはＸ電極ラインＸ１、．．．、Ｘｎに同時に印加される表示放電用パルス２、５が始まる。このＸ電極ラインＸ１、．．．、Ｘｎに同時に印加される表示放電用パルス２、５の終了以後にＹ電極ラインＹ１、．．．、Ｙｎに同時に印加される表示放電用パルス２、５が始まる前までの最小アドレス周期には、走査パルス６及びこれに相応する表示データ信号ＳＵＡ１．．ｍあるいはＳＬＡ１．．ｍが印加される。
【００２５】
本発明は、前記実施例に限定されず、請求範囲にて限定された発明の思想及び範囲内で当業者により変形及び改良されうる。
【００２６】
【発明の効果】
以上説明した通り、本発明によるプラズマ表示パネルの駆動方法によれば、上部パネルと下部パネルがいつも相異なるモードの駆動周期を持つので、全体的な最大瞬時電力が相対的に低くなるようになる。例えば、上部及び下部パネルの全ての表示セルが発光する場合、最小表示放電周期が時間上で食い違うのでその全体的な瞬時電力が相対的に低くなる。これにより、電源回路の容量負担、ノイズ及び電磁障害波の影響を減らすことができる。
【図面の簡単な説明】
【図１】本発明による駆動方法による単位表示周期内の駆動信号を示す電圧波形図。
【図２】一般的な３電極面放電方式のプラズマ表示パネルの構造を示す内部斜視図。
【図３】図２のプラズマ表示パネルの電極ラインパターン図。
【図４】図２のパネルの一表示セルの例を示す断面図。
【図５】一般的なプラズマ表示パネルの駆動方法による単位表示周期の構成を示すタイミング図。
【図６】一般的な分割駆動型プラズマ表示パネルの電極ラインパターン図。
【符号の説明】
１  面放電プラズマ表示パネル
１０  前面ガラス基板
１１  上部誘電体層
１２  一酸化マグネシウム層
１３  背面ガラス基板
１４  放電空間
１５  下部誘電体層
１６  蛍光体層
１７  隔壁
Ａ１、Ａ２、．．．、Ａｍ−１、Ａｍ  アドレス電極ライン
ＧＮＤ  接地電圧
ＳＵＡ１．．ｍ  上部表示データ信号
ＳＬＡ１．．ｍ  下部表示データ信号
Ｘ１、．．．、Ｘｎ  Ｘ電極ライン
Ｙ１、．．．、Ｙｎ  Ｙ電極ライン
【図１】
0004108916.tif 000002
【図２】
0004108916.tif 000003
【図３】
0004108916.tif 000004
【図４】
0004108916.tif 000005
【図５】
0004108916.tif 000006
【図６】
0004108916.tif 000007